(57)【要約】      （修正有）【課題】ユーザが、遠隔地に置かれたセキュリティ対応の複合機に印刷ジョブを投入して、代理人に印刷物を受け取ってもらう際、ユーザおよび代理人の利便性を損ねるという課題がある。【解決手段】カメラが接続された遠隔地の複合機の人物が写っているカメラ画像７２１、７２２・・・を、ユーザの画面に少なくとも１つ以上表示する。複数の人物が写っている場合７２２又は人物が小さい場合７２１にズームボタンを押し、拡大表示して、ユーザが代理人を確認して、出力先の複合機を確定する。【選択図】図７
2018129643.tif 000002
【特許請求の範囲】
【請求項１】
撮像センサを備え、情報処理装置からの指示を受けてプリントを行う、少なくとも１つ以上の画像形成装置と、
前記撮像センサの画像を少なくとも１つ以上を受信および表示し、プリントする画像形成装置を選択する情報処理装置と、
から構成されることを特徴とする画像形成システム。
【請求項２】
人物が映っている撮像センサの画像を選択して、送信することを特徴とする請求項１に記載の画像形成システム。
【請求項３】
ログインユーザに、撮像センサの画像を送信する許可を得る画面を表示することを特徴とする請求項１に記載の画像形成システム。
【請求項４】
ログインユーザがログアウトするか、または、撮像センサの画像に人物が映っていない場合、プリントしないことを特徴とする請求項１に記載の画像形成システム。
【発明の詳細な説明】
【技術分野】
【０００１】
本発明は、ネットワークに接続された画像形成装置を制御する技術に関する。
【背景技術】
【０００２】
従来から、パーソナルコンピュータ（以下、パソコン）および、タブレット端末やスマートフォン（以下、携帯端末）から、ネットワークに接続された複合機への印刷が広く行われている。例えば、特許文献１に、複合機の操作部でパスワード入力によって、ユーザ認証し、ユーザにプリント権限を与える、セキュリティ対応のプリント技術が提案されている。（特許文献１）
【先行技術文献】
【特許文献】
【０００３】
【特許文献１】特開２００６−２０９１９６号公報
【発明の概要】
【発明が解決しようとする課題】
【０００４】
しかしながら、特許文献１の構成では、ユーザが、遠隔地に置かれたセキュリティ対応の複合機に印刷ジョブを投入して、代理人に印刷物を受け取ってもらう際、ユーザおよび代理人の利便性を損ねるという課題がある。
【０００５】
印刷ジョブに設定することでセキュリティ対応するが、ユーザが代理人にパスワードを正しく通知し、代理人が複合機の操作部にパスワードを正しく入力する必要があり、パスワード通知と入力に手間がかかる。ユーザから代理人へのパスワード通知の際、パスワード漏えいのリスクがある。さらに、パスワード通知・入力ミスによって、代理人が印刷物を受け取れない可能性がある
【課題を解決するための手段】
【０００６】
上記課題を解決するために、本発明の画像形成システムは、撮像センサを備え、情報処理装置からの指示を受けてプリントを行う、少なくとも１つ以上の画像形成装置と、前記撮像センサの画像を少なくとも１つ以上を受信および表示し、プリントする画像形成装置を選択する情報処理装置と、から構成されることを特徴とする。
【発明の効果】
【０００７】
本発明によれば、ユーザが、遠隔地に置かれたセキュリティ対応の複合機に印刷ジョブを投入して、代理人に印刷物を受け取ってもらう際、ユーザおよび代理人の利便性が良いシステムを提供できる。
【図面の簡単な説明】
【０００８】
【図１】画像処理システムのブロック図の例
【図２】管理サーバ、および、パソコン、および、携帯端末のブロック図の例
【図３】複合機のブロック図の例
【図４ａ】プリンタドライバの画面例
【図４ｂ】プリンタドライバの画面例
【図４ｃ】プリンタドライバの画面例
【図５】画像送信許可の画面例
【図６】プリンタ選択の画面例
【図７】代理人選択の画面例
【図８】画像処理システムのフローチャートの例
【図９】パソコンまたは携帯端末または複合機の表示部に表示される画面例の説明図
【発明を実施するための形態】
【０００９】
以下、本発明を実施するための形態について図面を用いて説明する。図１は、本発明における画像処理システム全体を示すシステム構成図である。ネットワーク１００には、管理サーバ１１０、複合機１２０ａおよび１２０ｂおよび１２０ｃ、パソコン１３０、携帯端末１４０が接続されているとして説明する。
【００１０】
ネットワーク１００は、機器が直接接続されるＬＡＮ（Ｌｏｃａｌ  Ａｒｅａ  Ｎｅｔｗｏｒｋ）を例に説明する。管理サーバ１１０は、複合機１２０ａや複合機１２０ｂのカメラ画像を管理している。カメラ画像の要求があった場合、複合機１２０ａ、複合機１２０ｂ、複合機１２０ｃにネットワーク１００を介してカメラ画像の要求を通知する。そして、管理サーバ１１０は、複合機１２０ａ、複合機１２０ｂ、複合機１２０ｃから、カメラ画像を受信する。さらに、管理サーバ１１０は、パソコン１３０にカメラ画像を送信する。
【００１１】
複合機１２０は複数種類の機能（プリント、スキャン、コピー、ＦＡＸ等）を実現する機器である。管理サーバ１１０からネットワーク１００を介してカメラ画像の要求があれば、複合機１２０はネットワーク１００を介して管理サーバ１１０にカメラ画像を送信する。管理サーバ１１０、複合機１２０についての詳細な説明については後述する。
【００１２】
パソコン１３０は、プリントジョブを発行する、または、スキャンデータを受け取るなど、複合機１２０の複数種類の機能をネットワーク１００経由で利用する。携帯端末１４０は、パソコン１３０と同様の機能を持つが、持ち運び可能であり、無線通信でネットワークに接続される。
【００１３】
ここで、説明のため、複合機３台、パソコン１台、携帯端末１台のシステムを例に説明したが、このシステムに限定するものではないことは言うまでもない。また、機器が直接接続されるＬＡＮを例に説明したが、ＷＡＮ（Ｗｉｄｅ  Ａｒｅａ  Ｎｅｔｗｏｒｋ）のように、ハブ、スイッチ、ルータ（ゲートウエイ）、通信インフラストラクチャー、アクセスポイントなどのネットワーク機器を介して接続しても良い。
【００１４】
図２は、本発明における管理サーバ１１０の構成を表すブロック図である。管理サーバ１１０は、サーバユニット２００、操作部２２０、表示部２３０を含んでいる。
【００１５】
サーバユニット２００のＲＯＭ（Ｒｅａｄ  Ｏｎｌｙ  Ｍｅｍｏｒｙ）２０６およびＨＤＤ（Ｈａｒｄ  Ｄｉｓｋ  Ｄｒｉｖｅ）２０５にブートプログラムが格納されている。サーバユニット２００のＣＰＵ（Ｃｅｎｔｒａｌ  Ｐｒｏｃｅｓｓｉｎｇ  Ｕｎｉｔ）２０３は、ブートプログラムによりＯＳ（Ｏｐｅｒａｔｉｎｇ  Ｓｙｓｔｅｍ）を起動する。
【００１６】
ＣＰＵ２０３は、このＯＳ上で、ＨＤＤ２０５に格納されているアプリケーションプログラムを実行し、これによって各種処理を実行する。ＲＡＭ（Ｒａｎｄｏｍ  Ａｃｃｅｓｓ  Ｍｅｍｏｒｙ）２０４は、ＣＰＵ２０３の作業領域、および、後述の複合機１２０のカメラ画像等のデータを格納する。
【００１７】
ＨＤＤ２０５は、上記アプリケーションプログラムと、後述の複合機１２０のカメラ画像等のデータを格納する。ＣＰＵ２０３にシステムバス２１０を介して、ＲＯＭ２０６およびＲＡＭ２０４とともに、操作部Ｉ／Ｆ２０１、表示部Ｉ／Ｆ２０２、ＮｅｔｗｏｒｋＩ／Ｆ２０７が接続される。
【００１８】
操作部Ｉ／Ｆ２０１は、キーボード２２１、マウス２２２、タッチパネル２２３などから構成される操作部２２０とのインタフェースであり、ユーザが操作部２２０に入力した情報をＣＰＵ２０３に送出する。ここで、操作部Ｉ／Ｆ２０１、および、操作部２２０（キーボード２２１、マウス２２２、タッチパネル２２３）は、無くても構わない。
【００１９】
表示部Ｉ／Ｆ２０２は、液晶ディスプレイ等から成る表示部２３０に表示すべき画像データを表示部２３０に対して出力する。表示部Ｉ／Ｆ２０２および表示部２３０は無くても構わない。ＮｅｔｗｏｒｋＩ／Ｆ２０７は、ネットワーク１００に接続され、ネットワーク１００を介してネットワーク１００上の各装置との間で情報の入出力を行う。
【００２０】
なお、管理サーバ１１０の構成例として図２のような一般的な情報処理装置を例に挙げたが、本発明では管理サーバ１１０自身が図３で示される複合機であってもよい。
【００２１】
パソコン１３０および携帯端末１４０の内部構成は、管理サーバ１１０と同様なので、説明を省略する。なお、パソコン１３０および携帯端末１４０の構成例として図２のような一般的な情報処理装置を例に挙げたが、本発明ではパソコン１３０および携帯端末１４０自身が図３で示される複合機であってもよい。
【００２２】
図３は本発明における複合機１２０の構成を表すブロック図である。複合機１２０は、コントローラユニット３００、操作部３２０、スキャナ３３０、プリンタ３４０、ＨＤＤ３５０を含んでいる。
【００２３】
コントローラユニット３００には、操作部３２０が接続されるとともに、画像入力デバイスであるスキャナ３３０や画像出力デバイスであるプリンタ３４０が接続される。コントローラユニット３００は、ＣＰＵ３０２を有し、ＣＰＵ３０２は、ＲＯＭ３０６に格納されているブートプログラムによりＯＳを起動する。ＣＰＵ３０２は、このＯＳ上で、ＨＤＤ３５０に格納されているアプリケーションプログラムを実行し、これによって各種処理を実行する。このＣＰＵ３０２の作業領域としてはＲＡＭ３０３が用いられる。
【００２４】
また、ＲＡＭ３０３は、作業領域を提供するとともに、画像データを一時記憶するための画像メモリ領域を提供する。ＨＤＤ３５０は、上記アプリケーションプログラム、後述のカメラなどの画像データ、各種設定値を格納する。
【００２５】
ＣＰＵ３０２には、システムバス３１０を介して、ＲＯＭ３０６およびＲＡＭ３０３とともに、操作部Ｉ／Ｆ３０１、デバイスＩ／Ｆ３０４、ＮｅｔｗｏｒｋＩ／Ｆ３０７、画像処理部３０８が接続される。操作部Ｉ／Ｆ３０１は、タッチパネルや電源ボタンを有する操作部３２０とのインタフェースであり、操作部３２０に表示すべき画像データを操作部３２０に対して出力する。また、操作部Ｉ／Ｆ３０１は、操作部３２０によってユーザにより入力された情報をＣＰＵ３０２に送出する。デバイスＩ／Ｆ３０４には、スキャナ３３０およびプリンタ３４０が接続され、デバイスＩ／Ｆ３０４は、画像データの同期系／非同期系の変換を行う。
【００２６】
ＮｅｔｗｏｒｋＩ／Ｆ３０７は、ネットワーク１００に接続され、ネットワーク１００を介してネットワーク１００上の各装置との間で情報の入出力を行う。画像処理部３０８では、スキャナからの入力画像処理やプリンタへの出力画像処理、画像回転、画像圧縮、解像度変換、色空間変換、階調変換などの処理を行う。
【００２７】
カメラＩ／Ｆ３０９には、カメラ３８０で撮影した画像データが入力され、システムバス３１０を介して、ＲＡＭ３０３、または、ＨＤＤ３５０にカメラ画像を格納する。なお、管理サーバ１１０の構成例として図２のような一般的な情報処理装置を例に挙げたが、本発明では管理サーバ１１０自身が図３で示される複合機であってもよい。
【００２８】
ＨＤＤ３５０は、説明のため、ハードディスクを例に挙げたが、ＳＳＤ（Ｓｏｌｉｄ  Ｓｔａｔｅ  Ｄｒｉｖｅ）など、ＯＳやアプリケーションプログラムを格納可能な記憶装置であれば、何でも良い。
【００２９】
図４ａ〜図４ｃは、本発明の画像処理システムのフローチャートである。パソコン１３０、携帯端末１４０は、どちらでもよいので、本フローチャートでは、パソコン１３０または携帯端末１４０をパソコン１３０として説明する。同様に、複合機１２０ａ、１２０ｂ、１２０ｃはどちらでもよいので、本フローチャートでは、複合機１２０として説明する。図４ａ〜図４ｃにおいて、Ｓ４０１〜Ｓ４０８は、パソコン１３０のＲＯＭ２０６またはＨＤＤ２５０に格納され、パソコン１３０のＲＡＭ２０３に一時的に格納された後、パソコン１３０のＣＰＵ２０３で実行されるフローチャートである。
【００３０】
Ｓ４０１〜Ｓ４０８を用いて、パソコン１３０の動作を説明する。Ｓ４０１は、カメラを用いた複合機の選択の画面を起動するステップである。プリンタドライバから起動する画面例を別途後述する。Ｓ４０２は、各複合機のカメラ画像を要求するステップである。このステップで、パソコン１３０から管理サーバ１１０へネットワーク１００を介して、カメラ画像を要求するコマンドを送信する。このコマンドを受けた管理サーバ１１０はそれぞれの複合機１２０にカメラ画像を要求するが、この動作の詳細は別途後述する。Ｓ４０３は、各複合機のカメラ画像を受信するステップである。
【００３１】
管理サーバ１１０からパソコン１３０へネットワーク１００を介して、カメラ画像を受信する。ここで、管理サーバ１１０がカメラ画像を中継しているが、これに限定するものではなく、複合機１２０からパソコン１３０へカメラ画像を受信しても良いことは言うまでもない。
【００３２】
Ｓ４０４は、複合機を選択するステップである。複合機のカメラ画像を表示して、印刷する複合機を選択するボタンを表示する。ユーザがボタンを押したことを検出して、印刷する複合機を特定する。画面例を別途後述する。
【００３３】
Ｓ４０５は、カメラ画像に複数の人物が映っていることを判断するステップである。後述のように、複合機１２０が顔認識した際、生成された番号が2つ以上かどうか判断するとして説明する。複数の人物が映っている場合、ＹつまりＳ４０６に進む。複数の人物が映っていない場合、ＮつまりＳ４０７に進む。
【００３４】
Ｓ４０６は、代理人を選択するステップである。パソコン１３０の表示部２３０にカメラ画像を表示する。ユーザがボタンを押したことを検出して、代理人を特定する。画面例を別途後述する。
【００３５】
Ｓ４０７は、選択した人物を通知するステップである。パソコン１３０から複合機１２０にネットワーク１００を介して、選択した人物を特定できる情報、例えば、画像中の座標を通知する。本発明は、人物を特定できる情報を座標に限定するものではなく、顔認証の際に生成した番号、トリミング画像、画像の特徴データなど、何でも良い。
【００３６】
Ｓ４０８は、印刷ジョブを送信するステップである。パソコン１３０から複合機１２０にネットワーク１００を介して、印刷ジョブを送信する。このステップＳ４０８は、一般的なプリンタの動作と同じなので詳細説明を省略する。
【００３７】
Ｓ４０９は、印刷ジョブのキャンセルを判断するステップである。代理人が複合機１２０を操作してジョブを削除すると、複合機１２０からパソコン１３０にジョブ  キャンセルが通知される。ジョブ  キャンセルが通知されたら、ＹつまりＳ４１２に進む。ジョブ  キャンセルが通知されなかったら、ＮつまりＳ４１０に進む。また、代理人の一部（例えば、顔）がカメラの撮影可能範囲の外に移動すると、ジョブキャンセルするとして説明するが、キャンセルしなくても構わない。
【００３８】
Ｓ４１０は、印刷ジョブ完了を判断するステップである。一般的なプリンタの動作と同じなので詳細説明を省略する。印刷ジョブが完了したら、ＹつまりＳ４１１に進む。印刷ジョブが完了しなかったら、ＮつまりＳ４０９に進む。
【００３９】
Ｓ４１１は、印刷ジョブ完了を表示するステップである。パソコン１３０の表示部２３０に印刷ジョブ完了を表示する。このステップは必須ではなく、表示しなくても構わない。Ｓ４１２は、印刷ジョブ  キャンセルを表示するステップである。パソコン１３０の表示部２３０にキャンセルした要因を表示する。このステップは必須ではなく、表示しなくても構わない。
【００４０】
以上で、パソコン１３０のＣＰＵ２０３で実行されるフローチャートの説明を終わる。次に、Ｓ４２１〜Ｓ４２４を用いて、管理サーバ１１０の動作を説明する。Ｓ４１１〜Ｓ４１４は、管理サーバ１１０のＲＯＭ２０６またはＨＤＤ２５０に格納され、ＲＡＭ２０３に一時的に格納された後、管理サーバ１１０のＣＰＵ２０３で実行されるフローチャートである。
【００４１】
パソコン１３０は各複合機１２０にカメラが接続されているかどうか分からないので、管理サーバに問い合わせるとして説明する。Ｓ４２１は、パソコン１３０からのカメラ画像要求を受信するステップである。Ｓ４０２で説明済なので、詳細説明を省略する。Ｓ４２２は、各複合機にカメラ画像が接続されていることを判断するステップである。カメラ画像が接続されている場合、ＹつまりＳ４２３に進む。カメラ画像が接続されていない場合、ＮつまりＳ４２４に進む。
【００４２】
Ｓ４２３は、各複合機にカメラ画像を要求するステップである。Ｓ４２１でカメラ画像要求を受信すると、カメラが接続された複合機に対してカメラ画像を要求する。Ｓ４２４は、複合機にカメラが接続されていないことをパソコン１３０に通知するステップである。
【００４３】
以上で、管理サーバ１１０のＣＰＵ２０３で実行されるフローチャートの説明を終わる。
【００４４】
次に、Ｓ４３１〜Ｓ４４５を用いて、複合機１２０の動作を説明する。Ｓ４３１〜Ｓ４４５は、複合機１２０のＲＯＭ３０６またはＨＤＤ３５０に格納され、ＲＡＭ３０３に一時的に格納された後、ＣＰＵ３０３で実行されるフローチャートである。Ｓ４３１は、管理サーバ１１０からのカメラ画像要求を受信するステップである。
【００４５】
Ｓ４３２は、複合機１２０にログイン中かどうかを判断するステップである。ここで、ログインとは、ネットワーク経由ではなく、複合機１２０でユーザ認証され、複合機１２０をユーザが操作可能な状態を指す。例えば、複合機１２０の操作部３３０あるいは非図示のＩＤカードを用いてユーザ認証された状態である。ログイン中の場合、ＹつまりＳ４３３に進む。ログインしていない場合、ＮつまりＳ４４５に進む。
【００４６】
Ｓ４３３は、複合機１２０のカメラ３８０で画像を撮影し、顔認識されたことを判断するステップである。顔検出された場合、ＹつまりＳ４３４に進む。顔検出されなかった場合、ＮつまりＳ４４５に進む。ここで、Ｓ４３３は必須ではなく、無くても構わない。
【００４７】
Ｓ４３４は、カメラ画像の確認画面を表示するステップである。複合機１２０のカメラ３８０で撮影した画像を操作部３２０に表示し、カメラ画像をパソコン１３０に送信することへの許可を複合機１２０のログインユーザに求める。ここで、Ｓ４３４は必須ではなく、無くても構わない。
【００４８】
Ｓ４３５は、カメラ画像をパソコン１３０に送信することへの許可が得られたかどうかを判断するステップである。許可が得られた場合、ＹつまりＳ４３６に進む。許可が得られなかった場合、ＮつまりＳ４４５に進む。ここで、Ｓ４３５は必須ではなく、無くても構わない。Ｓ４３６は、カメラ画像をパソコン１３０に送信するステップである。ここで、複合機１２０からパソコン１３０に送信するとして説明するが、管理サーバ１１０を経由しても構わない。
【００４９】
Ｓ４３７は、Ｓ４０６で選択した人物を受信するステップである。ここで、Ｓ４３７は必須ではなく、無くても構わない。
【００５０】
Ｓ４３８は、Ｓ４０８で送信した印刷ジョブを受信するステップである。一般的なプリンタの動作と同じなので詳細説明を省略する。印刷ジョブを受信したら、ＹつまりＳ４３９に進む。印刷ジョブを受信しなかったら、ＮつまりＳ４３８に戻る。
【００５１】
Ｓ４３９は、複合機１２０のカメラ３８０で画像を撮影し、認識された顔を判断するステップである。代理人が複合機１２０の近くに居ない場合、印刷キャンセルするために行う。顔認識され、Ｓ４３３で認識した顔と一致したら、ＹつまりＳ４４０に進む。それ以外の場合、Ｓ４４２に進む。ここで、Ｓ４３９は必須ではなく、無くても構わない。
【００５２】
Ｓ４４０は、ログイン中かどうかを判断するステップである。Ｓ４３２のログインユーザが引き続きログインしている場合、ＹつまりＳ４４１に進む。ログオフされた場合、ＮつまりＳ４４３に進む。Ｓ４４１は、印刷ジョブを印刷するステップである。一般的なプリンタの動作と同じなので詳細説明を省略する。
【００５３】
Ｓ４４２は、印刷ジョブがキャンセルされたことを表示するステップである。複合機１２０の操作部３２０に表示する。ここで、Ｓ４４２は必須ではなく、無くても構わない。Ｓ４４３は、印刷ジョブのキャンセル処理を行うステップである。一般的なプリンタの動作と同じなので詳細説明を省略する。
【００５４】
Ｓ４４４は、印刷ジョブがキャンセルされたことをパソコン１３０に通知するステップである。ここで、Ｓ４４４は必須ではなく、無くても構わない。Ｓ４４５は、カメラ画面を送信しないことをパソコン１３０に通知するステップである。ここで、Ｓ４４５は必須ではなく、無くても構わない。
【００５５】
ここで、各複合機１２０にカメラが接続されているかどうかがパソコン１３０に分かるか、または、カメラ画像の要求に対してカメラが接続されていないことを複合機１２０が応答できたら、管理サーバ１１０は無くても構わない。
【００５６】
図５は、パソコン１３０または携帯端末１４０の表示部に表示されるプリンタドライバの画面例を説明するための図である。図５において、５００は、プリンタドライバの画面であり、印刷時の各種設定を行う。５１０は、カメラを用いて複合機を指定するメニューの選択画面であり、図４ａのＳ４０１に対応する。パソコンのＣＰＵは、ユーザが５１０を選んだことを検出して、上記の管理サーバ１１０に通知する。
【００５７】
ここで、プリンタドライバを例に説明してきたが、プリンタドライバに限定するものではなく、ＯＳやアプリケーションなど、起動するソフトウエアは何でも構わない。
【００５８】
図６は、複合機１２０の操作部３２０に表示される画像送信許可の画面例を説明するための図である。図６において、カメラの使用には、プライバシーやセキュリティへの考慮が必要であり、カメラの使用を代理人に許可を得るとして説明する。６２０は、カメラの画像を表示するためのウインドウであり、上記の複合機１２０のカメラの画像を表示し続ける。６５０は、代理人がカメラ画像の送信に同意したことを検出するためのＯＫボタンである。６６０は、代理人が同意していないことを検出するためのＮＧボタンである。ここで、図６は必須ではなく、カメラの使用を代理人に許可を得なくても構わない。
【００５９】
図７は、パソコン１３０または携帯端末１４０の表示部に表示される画面例を説明するための図である。図７において、７００は、ユーザが代理人のカメラ画像を見て、印刷する複合機を選択するための画面である。７１０は、複合機のカメラ画像を表示するウインドウである。ユーザがカメラ画像７１０に触れたことを、操作部３２０が検出して、印刷する複合機を判定する。図７では、例として、１０台の複合機のカメラ画像を並べているが、台数は何台でも構わない。７２１は複合機１のカメラ画像の例であり、人物が１人映っている。
【００６０】
図７では、人物の顔を認識して、四角の顔認識マークを表示する例を示しているが、本発明は、顔認識マークの有無や形状に限定するものではない。７２２は、７２１は複合機３のカメラ画像の例であり、人物が２人映っている。７２２を拡大表示して、代理人を指定する画面について別途、後述する。７４０は、ズームボタンである。７２２のように複数の人物が映っている場合、または、人物が小さい場合にズームボタン７４０を押すと、図８で後述する画面に遷移する。７５０は、カメラ画像を選択したことを検出するためのＯＫボタンである。７６０は、カメラ画像の選択のキャンセル（取りやめ）を検出するためのキャンセルボタンである。このボタン７６０が押されたら、代理人を指定するメニューを取りやめる。
【００６１】
図８は、パソコン１３０または携帯端末１４０の表示部に表示される代理人選択の画面例を説明するための図である。図８において、８２０は、カメラ画像７２２を拡大表示して、代理人を指定する画面であり、２人の人物が映っている例を説明する。８３０は、第１の人物の画像であり、８４０は、第２の人物の画像である。ユーザが８３０または８４０の人物の画像に触れたことを、操作部３２０が検出して、代理人を判定する。８５０は、代理人を選択したことを検出するためのＯＫボタンである。８６０は、代理人の選択のキャンセル（取りやめ）を検出するためのキャンセルボタンである。ここで、図７は必須ではなく、複数の人物が写っていても、代理人の選択をしなくても構わない。
【００６２】
図９は、パソコン１３０または携帯端末１４０、または、複合機１２０の表示部に表示される画面例を説明するための図である。９２０はカメラ画像を表示するウインドウである。９４０は代理人の画像である。印刷中に代理人の顔の一部がカメラの撮影範囲外に出ると顔認識が働かなくなる。これを検出して、複合機１２０の印刷をキャンセルする。ここで、顔認識が働かなくなることで、代理人がカメラの撮影範囲外に出たと判断する例を説明したが、本発明は顔認識には限定しない。例えば、服、体の輪郭など、何でも構わない。
【００６３】
また、ここで、代理人がカメラ撮影範囲の外に出ると、印刷をキャンセルする構成を説明したが、直ちに印刷をキャンセルする構成に限定するものではない。代理人がカメラ撮影範囲の外に出ても印刷をキャンセルしなくても良い。一定時間を超えて、代理人がカメラ撮影範囲の外に出ると印刷をキャンセルする構成でも良い。
【００６４】
以上、説明したように、ユーザが、遠隔地に置かれたセキュリティ対応の複合機１２０に印刷ジョブを投入して、代理人に印刷物を受け取ってもらう際、代理人の画像を複合機１２０のカメラ３８０で確認することで、利便性が良いシステムを提供できる。また、複合機のカメラ画像を認証に用いることで（図３の３８０、図４ａのＳ４０２）、パスワード通知および入力の手間をなくし、ユーザおよび代理人の利便性を向上できる。その際、パスワード漏えいをなくすことが出来るので、セキュリティ的に強固なシステムを提供できる。さらに、パスワード通知・入力ミスが無いので、代理人が印刷物を確実に受け取ることが出来る。
【符号の説明】
【００６５】
１１０  管理サーバ
１２０  複合機
１３０  パソコン
１４０  携帯端末
３０２  複合機のＣＰＵ
３８０  複合機のカメラ
【図１】
2018129643.tif 000003
【図２】
2018129643.tif 000004
【図３】
2018129643.tif 000005
【図４ａ】
2018129643.tif 000006
【図４ｂ】
2018129643.tif 000007
【図４ｃ】
2018129643.tif 000008
【図５】
2018129643.tif 000009
【図６】
2018129643.tif 000010
【図７】
2018129643.tif 000011
【図８】
2018129643.tif 000012
【図９】
2018129643.tif 000013